(57)【要約】【課題】有機ＥＬパネルを光源として備えた点灯システムであって、有機ＥＬパネルから発せられる光を充電に有効利用することで、省エネが図られる点灯システムを提供する。【解決手段】点灯システム１は、電圧の印加を受けて発光するとともに、受光した光を光電変換することで電気エネルギーを生じさせる複数の有機ＥＬパネル１０と、各有機ＥＬパネル１０に電圧を印加可能であるとともに、各有機ＥＬパネル１０が生じた電気エネルギーにより充電を行う電源３０とを備えている。各有機ＥＬパネル１０は、他の有機ＥＬパネル１０が発した光を受光可能であるように、他の有機ＥＬパネル１０と隣接して配置されている。【選択図】図１
2011018705.tif 000002
【特許請求の範囲】
【請求項１】
電圧の印加を受けて発光するとともに、受光した光を光電変換することで電気エネルギーを生じさせる複数の有機ＥＬパネルと、
各前記有機ＥＬパネルに電圧を印加可能であるとともに、各前記有機ＥＬパネルが生じた電気エネルギーにより充電を行う電源とを備え、
各前記有機ＥＬパネルは、他の前記有機ＥＬパネルが発した光を受光可能であるように、他の前記有機ＥＬパネルと隣接して配置されていることを特徴とする点灯システム。
【請求項２】
前記電源には、制御部と、電圧印加部と、充電部とが設けられ、
前記制御部は、前記電圧印加部及び前記充電部に接続させる前記有機ＥＬパネルを切り換えることができ、
前記電圧印加部は、これと接続された前記有機ＥＬパネルに対して電圧を印加し、
前記充電部は、これと接続された前記有機ＥＬパネルが発した電気エネルギーによって充電を行うことを特徴とする請求項１に記載の点灯システム。
【請求項３】
各前記有機ＥＬパネルは、透光性の基板の上に、陰極と、有機ＥＬ層と、陽極とを順に積層した構造を有し、
前記有機ＥＬ層は、前記陰極側に配置される電子輸送層と、前記陽極側に配置される正孔輸送層と、前記電子輸送層と前記正孔輸送層との間に配置される発光層とを有し、前記陽極と前記陰極との間に電圧が印加されることに応じて、前記陰極から前記電子輸送層を介して前記発光層に電子が注入されるとともに、前記陽極から前記正孔輸送層を介して前記発光層に正孔が注入され、
前記発光層は、前記電子及び正孔が結合することで発光するとともに、他の光源が発した光を受光することで光電変換により電気エネルギーを生じさせ、
前記電源は、前記陰極と前記陽極との間に電圧を印加するとともに、前記発光層が生じた電気エネルギーによって充電を行うことを特徴とする請求項１又は２に記載の点灯システム。
【発明の詳細な説明】
【技術分野】
【０００１】
本発明は、有機ＥＬパネルを光源として備えた点灯システムに関する。
【背景技術】
【０００２】
特許文献１には、有機ＥＬ（Electro Luminescence）からなる画素を備えた表示装置が開示されている。この表示装置では、非発光状態にある画素が、受光した太陽光を電気エネルギーに変換させて、該電気エネルギーを表示装置の充電に用いるようになっている。
【先行技術文献】
【特許文献】
【０００３】
【特許文献１】特開２００７−１０８６１２号公報
【発明の概要】
【発明が解決しようとする課題】
【０００４】
ところで特許文献１には、有機ＥＬが発した光によって充電することを可能にする構成は、なんら開示されていない。このため、特許文献１では、有機ＥＬが発する光を充電のために有効利用して、省エネを図るといったことは実現できない。
【０００５】
本発明はこうした状況に鑑みてなされたものであり、本発明の目的は、有機ＥＬパネルを光源として備えた点灯システムであって、有機ＥＬパネルから発せられる光を充電に有効利用することで、省エネが図られる点灯システムを提供することにある。
【課題を解決するための手段】
【０００６】
上記目的を達成するため、本発明に係る点灯システムは、電圧の印加を受けて発光するとともに、受光した光を光電変換することで電気エネルギーを生じさせる複数の有機ＥＬパネルと、各前記有機ＥＬパネルに電圧を印加可能であるとともに、各前記有機ＥＬパネルが生じた電気エネルギーにより充電を行う電源とを備え、各前記有機ＥＬパネルは、他の前記有機ＥＬパネルが発した光を受光可能であるように、他の前記有機ＥＬパネルと隣接して配置されていることを特徴とする。
【発明の効果】
【０００７】
本発明によれば、点灯システムに設けられる各有機ＥＬパネルが、他の有機ＥＬパネルが発した光を受光可能であるように、他の有機ＥＬパネルと隣接して配置されていることから、電源から電圧の印加を受けた一の有機ＥＬパネルが発する光を、他の有機ＥＬパネルに受光させて電気エネルギーを生じさせることができる。そして、この電気エネルギーが電源の充電に用いられることで、有機ＥＬパネルが発する光を、充電のために有効利用することができる。これにより、省エネが図られる。
【図面の簡単な説明】
【０００８】
【図１】本発明の実施の形態における点灯システムを示すブロック図である。
【図２】有機ＥＬパネルの構造を示す概略断面図である。
【発明を実施するための形態】
【０００９】
以下、本発明の実施の形態について図を参照しながら詳細に説明する。なお、図中同一または相当部分には同一符号を付し、その説明は繰り返さない。図１は、本発明の実施の形態における点灯システム１を示すブロック図である。
【００１０】
点灯システム１は、光源としての４つの有機ＥＬパネル１０Ａ，１０Ｂ，１０Ｃ，１０Ｄと、これら有機ＥＬパネル１０Ａ，１０Ｂ，１０Ｃ，１０Ｄと配線２０を介して接続される電源３０とを備えており、有機ＥＬパネル１０Ａ，１０Ｂ，１０Ｃ，１０Ｄは、２つずつの組（１０Ａと１０Ｂの組、１０Ｃと１０Ｄの組）に分けられて、これらの組が電源３０と並列に接続されている。なお、以下では、有機ＥＬパネル１０Ａ，１０Ｂ，１０Ｃ，１０Ｄを総称して、有機ＥＬパネル１０と適宜記す。
【００１１】
図２は、有機ＥＬパネル１０の構造を示す概略断面図である。
【００１２】
有機ＥＬパネル１０は、例えばガラスからなる透光性の基板１１の上に、陰極１２と、有機ＥＬ層１３と、陽極１４とを順に積層した構造を有している。
【００１３】
有機ＥＬ層１３は、陰極１２側に配置される電子輸送層１３０と、陽極１４側に配置される正孔輸送層１３１と、電子輸送層１３０と正孔輸送層１３１との間に配置される発光層１３２とを有している。電子輸送層１３０は、電子輸送性の有機化合物から構成され、正孔輸送層１３１は、正孔輸送性の有機化合物から構成されている。また、発光層１３２は、有機発光性化合物から構成されており、他の光源が発した光を受光することで、光電変換により電気エネルギーを生じる。
【００１４】
上記の構成を有する有機ＥＬパネル１０では、陰極１２と陽極１４との間に、直流電圧が印加されることにより、陰極１２から電子輸送層１３０を介して発光層１３２に電子が注入され、陽極１４から正孔輸送層１３１を介して発光層１３２に正孔が注入される。この結果、発光層１３２では、正孔と電子との結合が生じ、これに伴って生成される励起子が励起状態から基底状態へ移行することで発光現象が生じる。
【００１５】
そして、有機ＥＬパネル１０は、他の有機ＥＬパネル１０が発した光を受光可能であるように、他の有機ＥＬパネル１０と隣接して配置されている。
【００１６】
電源３０には、制御部３１と、電圧印加部３２と、充電部３３とが設けられている。
【００１７】
制御部３１は、配線２０を介して電圧印加部３２や充電部３３に接続させる有機ＥＬパネル１０を切り換えることができる。
【００１８】
電圧印加部３２は、これと接続された有機ＥＬパネル１０における陰極１２と陽極１４との間に、直流電圧を印加する。
【００１９】
充電部３３は、これと接続された有機ＥＬパネル１０の発光層１３２が発した電気エネルギーにより充電を行う。
【００２０】
例えば、制御部３１により、有機ＥＬパネル１０Ｂ，１０Ｄが電圧印加部３２に接続され、有機ＥＬパネル１０Ａ，１０Ｃが充電部３３に接続されている場合には、有機ＥＬパネル１０Ｂ，１０Ｄでは、陰極１２と陽極１４との間に電圧印加部３２から直流電圧が印加されることで、それぞれの発光層１３２が光を発する。
【００２１】
そして、有機ＥＬパネル１０Ａ，１０Ｃは、有機ＥＬパネル１０Ｂ，１０Ｄと隣接して配置されていることで、有機ＥＬパネル１０Ｂ，１０Ｄが発した光を受光する。この結果、有機ＥＬパネル１０Ａ，１０Ｃの発光層１３２では、光電変換によって電気エネルギーが生じ、この電気エネルギーが充電部３３に送出される。この結果、充電部３３において充電が行われる。
【００２２】
本実施の形態によれば、点灯システム１に設けられる複数の有機ＥＬパネル１０が、隣接して配置されていることから、電源３０から電圧の印加を受けた一の有機ＥＬパネル１０が発する光を、他の有機ＥＬパネル１０に受光させて電気エネルギーを生じさせることができる。そして、この電気エネルギーが電源３０の充電に用いられることで、有機ＥＬパネル１０が発する光を充電のために有効利用することができる。これにより、省エネが図られる。
【００２３】
また、制御部３１が、電圧印加部３２や充電部３３に接続させる有機ＥＬパネル１０を切り換えることで、発光や受光を行わせる有機ＥＬパネル１０の数を調整することができる。これにより、点灯システム１から発させられる光を所望の明るさに調整したり、充電に用いる光の量を調整することができる。
【００２４】
本発明は、上述の実施の形態に限定されず、特許請求の範囲において種々改変することができ、例えば、点灯システム１に設けられる有機ＥＬパネル１０の数は、図に示した４つに限定されず、任意の複数に設定可能である。
【００２５】
その他、本発明の好適な変形として、以下の構成が含まれる。
【００２６】
本発明に係る点灯システムについて、好ましくは、前記電源には、制御部と、電圧印加部と、充電部とが設けられ、前記制御部は、前記電圧印加部及び前記充電部に接続させる前記有機ＥＬパネルを切り換えることができ、前記電圧印加部は、これと接続された前記有機ＥＬパネルに対して電圧を印加し、前記充電部は、これと接続された前記有機ＥＬパネルが発した電気エネルギーによって充電を行うことを特徴とする。
【００２７】
また、あるいはさらに、各前記有機ＥＬパネルは、透光性の基板の上に、陰極と、有機ＥＬ層と、陽極とを順に積層した構造を有し、前記有機ＥＬ層は、前記陰極側に配置される電子輸送層と、前記陽極側に配置される正孔輸送層と、前記電子輸送層と前記正孔輸送層との間に配置される発光層とを有し、前記陽極と前記陰極との間に電圧が印加されることに応じて、前記陰極から前記電子輸送層を介して前記発光層に電子が注入されるとともに、前記陽極から前記正孔輸送層を介して前記発光層に正孔が注入され、前記発光層は、前記電子及び正孔が結合することで発光するとともに、他の光源が発した光を受光することで光電変換により電気エネルギーを生じさせ、前記電源は、前記陰極と前記陽極との間に電圧を印加するとともに、前記発光層が生じた電気エネルギーによって充電を行うことを特徴とする。
【符号の説明】
【００２８】
１  点灯システム
１０Ａ，１０Ｂ，１０Ｃ，１０Ｄ  有機ＥＬパネル
１１  基板
１２  陰極
１３  有機ＥＬ層
１４  陽極
２０  配線
３０  電源
３１  制御部
３２  電圧印加部
３３  充電部
１３０  電子輸送層
１３１  正孔輸送層
１３２  発光層
【図１】
2011018705.tif 000003
【図２】
2011018705.tif 000004